(57)【要約】【課題】  排紙スミアを簡単な構成で防止し、画像にムラの出ない高画質なインクジェット記録装置を提供することを目的とする。【解決手段】  記録媒体上に高印字比率で印字された部分の記録媒体上の位置を記憶し、その部分に印字比率や記録媒体種、環境条件等のパラメーターにより決定した定着完了秒数等を設定する。その後、次ページを印字中に前ページのスミアを起こすとして設定された部分の定着が完了していない場合には給紙後ウエイトを行った後、印字を中断することなく画像を完成させ、前ページの残り部分の定着完了秒数経過後に排紙を行う。【選択図】  図２
2005238608.tif 000002
【特許請求の範囲】
【請求項１】
インクを用いてプリント媒体上に記録を行うインクジェット記録装置において、
記録されたプリント媒体を排出する排出手段と、
先行プリント媒体上に所定量を超えて単位面積当たりのインク量が付与される領域を検出する検出手段と、
前記検出された領域のうち、前記排出手段から排出される後続プリント媒体の先端部が、前記排出手段から排出されるまでに前記先行プリント媒体に接触する第一の領域に付与されるインク量に基づく判定基準によって、接触することを許容するまでの第一の期間と、
前記検出された領域のうち、前記第一の領域以降の領域に付与されるインク量に基づく判定基準によって前記後続プリント媒体が前記先行プリント媒体に接触することを許容するまでの第二の期間と、
前記第一の期間経過後に、前記後続プリント媒体の記録を開始し、記録終了後、第二の期間経過後に前記後続プリント媒体を排出する制御手段を有することを特徴とするインクジェット記録装置。
【請求項２】
インクを用いてプリント媒体上に記録を行うインクジェット記録装置において、
プリント媒体への記録データにカラーデータが含まれているか判別する判別手段と、
記録されたプリント媒体を排出する排出手段と、
先行プリント媒体上に所定量を超えて単位面積当たりのインク量が付与される領域を検出する検出手段と、
前記検出された領域のうち、前記排出手段から排出される後続プリント媒体の先端部が、前記排出手段から排出されるまでに前記先行プリント媒体に接触する第一の領域に付与されるインク量に基づく判定基準によって、接触することを許容するまでの第一の期間と、
前記検出された領域のうち、前記第一の領域以降の領域に付与されるインク量に基づく判定基準によって前記後続プリント媒体が前記先行プリント媒体に接触することを許容するまでの第二の期間と、
前記後続プリント媒体への記録データにカラーデータが含まれていた場合、前記第一の期間経過後に、前記後続プリント媒体の記録を開始し、記録終了後、第二の期間経過後に前記後続プリント媒体を排出する第一の制御手段と、
前記後続プリント媒体への記録データにカラーデータが含まれていない場合、前記第一の領域に前記後続プリント媒体が接触しない位置まで記録を行い、前記第一の期間が経過後に記録を再開し、記録終了後、第二の期間経過後に前記後続プリント媒体を排出する第二も制御手段とを有することを特徴とする請求項１または請求項２記載インクジェット記録装置。
【請求項３】
前記第一の領域は前記後続プリント媒体上の先端領域に付与される単位面積当たりのインク量に基づいて変更されることを特徴とする請求項１または請求項２に記載のインクジェット記録装置。
【請求項４】
前記単位面積当たりのインク量を、単位時間当たりに記録されるドット数によって検出することを特徴とする請求項１乃至３いずれかに記載のインクジェット記録装置。
【請求項５】
前記判定基準が、記録媒体の種類に応じて変更されることを特徴とする請求項１乃至４いずれかに記載のインクジェット記録装置。
【請求項６】
前記判定基準が、環境の温度、又は湿度の少なくとも一つに応じて変更されることを特徴とする請求項１乃至５いずれかに記載のインクジェット記録装置。
【請求項７】
前記判定基準が、インク吐出量の変更、インク種の変更の少なくとも１つの組み合わせに応じて変更されることを特徴とする請求項１乃至６いずれかに記載のインクジェット記録装置。
【請求項８】
前記検出手段は、プリント媒体を搬送方向に所定の長さでエリア分けしたエリア毎に領域を検出し、
前記決定手段は、前記同一エリア内で検出された領域に対する期間のうち最長の期間を該エリアでの代表値とすることを特徴とする請求項１乃至７いずれかに記載のインクジェット記録装置。
【発明の詳細な説明】
【技術分野】
【０００１】
本発明は、記録液（インク）を用いて記録するインクジェット記録装置に係り、特に排紙時の擦れによるスミアーを印字のスループットの低下を極力少なくして防止するインクジェット記録装置に関する。
【背景技術】
【０００２】
プリンタ、複写機、ファクシミリ等の記録装置は、画像情報に基づいて、紙やプラスチック薄板等の被記録材上にドットパタ−ンからなる画像を記録していくように構成されている。
【０００３】
前記記録装置は、記録方式により、インクジェット式、ワイヤドット式、サ−マル式、レ−ザ−ビ−ム式等に分けることができる。そのうちのインクジェット式（インクジェット記録装置）は、記録ヘッドの吐出口からインク（記録液）滴を吐出飛翔させ、これを被記録材に付着させて記録するように構成されている。
【０００４】
近年、数多くの記録装置が使用されるようになり、これらの記録装置に対して、高速記録、高解像度、高画像品質、低騒音などが要求されている。このような要求に応える記録装置として、前記インクジェット記録装置を挙げることができる。
【０００５】
しかし、インクジェット記録装置においては、多くは水性の液体のインクを用いて記録を行うためにインクの乾燥をさせるための定着時間というのが必要である。
【０００６】
記録速度の遅い装置においては、次のページが印刷されるまでに時間があった為に、インクの定着については余り問題視されなかった。しかし、最近のＡ４サイズで１分間に４から５枚以上の出力をすることが可能な記録装置、特に１分間に１０枚以上の出力が可能な記録装置では、排紙スミアが生じてしまう問題が顕著になってきた。即ち、少し高い印字比率の部分があると、インクが乾燥しきらないうちに次の印字物がきて、その部分を擦ってしまうのである。
【０００７】
従来排紙スミアーに関する問題解決法は、熱ヒーターによる定着機構を設けることか、排紙機構部に前の排紙した印字物と擦れるのを防止する為のメカ的な構造物を配置し、印字が完了した時点で排紙のメカ機構を駆動して排紙積載するようなものが主流であった。また、そのメカ機構では不足の場合には、それに排紙後の積載をさせるメカ機構の動作の遅延制御等を組み合わせるものがある。
【０００８】
しかし、どの方法に於いてもその具体的機構は大がかりなものとなり、大型化やコストアップの要因となるため採用は困難であった。
【０００９】
そこで従来は前の用紙の印字比率が多い部分を検出し、次の用紙の記録速度を遅延させるなどの制御を用いて、排紙スミアが発生しないようにする方法がとられている（たとえば特許文献１参照）。
【特許文献１】特開平７−２０５４１６
【発明の開示】
【発明が解決しようとする課題】
【００１０】
しかしながら、次の用紙の記録速度を遅延させるという方法をとった場合、テキストなどのモノクロ画像に関しては問題ないが、カラー記録の際、記録領域ごとの記録時間に時間差が生じてしまい、用紙へのインクの浸透速度等の要因で記録領域ごとに色ムラが生じるという課題がある。
【００１１】
本発明は上記課題を解決するためになされたもので、排紙スミアを簡単な構成で防止し、画像にムラの出ない高画質なインクジェット記録装置を提供することを目的とする。
【課題を解決するための手段】
【００１２】
上記目的を達成するために本発明は、以下の（１）から（８）を特徴とするインクジェット記録装置を提供するものである。
（１）インクを用いてプリント媒体上に記録を行うインクジェット記録装置において、
記録されたプリント媒体を排出する排出手段と、
先行プリント媒体上に所定量を超えて単位面積当たりのインク量が付与される領域を検出する検出手段と、
前記検出された領域のうち、前記排出手段から排出される後続プリント媒体の先端部が、前記排出手段から排出されるまでに前記先行プリント媒体に接触する第一の領域に付与されるインク量に基づく判定基準によって、接触することを許容するまでの第一の期間と、
前記検出された領域のうち、前記第一の領域以降の領域に付与されるインク量に基づく判定基準によって前記後続プリント媒体が前記先行プリント媒体に接触することを許容するまでの第二の期間と、
前記第一の期間経過後に、前記後続プリント媒体の記録を開始し、記録終了後、第二の期間経過後に前記後続プリント媒体を排出する制御手段を有することを特徴とする。
（２）インクを用いてプリント媒体上に記録を行うインクジェット記録装置において、
プリント媒体への記録データにカラーデータが含まれているか判別する判別手段と、
記録されたプリント媒体を排出する排出手段と、
先行プリント媒体上に所定量を超えて単位面積当たりのインク量が付与される領域を検出する検出手段と、
前記検出された領域のうち、前記排出手段から排出される後続プリント媒体の先端部が、前記排出手段から排出されるまでに前記先行プリント媒体に接触する第一の領域に付与されるインク量に基づく判定基準によって、接触することを許容するまでの第一の期間と、
前記検出された領域のうち、前記第一の領域以降の領域に付与されるインク量に基づく判定基準によって前記後続プリント媒体が前記先行プリント媒体に接触することを許容するまでの第二の期間と、
前記後続プリント媒体への記録データにカラーデータが含まれていた場合、前記第一の期間経過後に、前記後続プリント媒体の記録を開始し、記録終了後、第二の期間経過後に前記後続プリント媒体を排出する第一の制御手段と、
前記後続プリント媒体への記録データにカラーデータが含まれていない場合、前記第一の領域に前記後続プリント媒体が接触しない位置まで記録を行い、前記第一の期間が経過後に記録を再開し、記録終了後、第二の期間経過後に前記後続プリント媒体を排出する第二も制御手段とを有することを特徴とする。
（３）前記第一の領域は前記後続プリント媒体上の先端領域に付与される単位面積当たりのインク量に基づいて変更されることを特徴とする。
（４）前記単位面積当たりのインク量を、単位時間当たりに記録されるドット数によって検出することを特徴とする。
（５）前記判定基準が、記録媒体の種類に応じて変更されることを特徴とする。
（６）前記判定基準が、環境の温度、又は湿度の少なくとも一つに応じて変更されることを特徴とする。
（７）前記判定基準が、インク吐出量の変更、インク種の変更の少なくとも１つの組み合わせに応じて変更されることを特徴とする。
（８）前記検出手段は、プリント媒体を搬送方向に所定の長さでエリア分けしたエリア毎に領域を検出し、
前記決定手段は、前記同一エリア内で検出された領域に対する期間のうち最長の期間を該エリアでの代表値とすることを特徴とする。
【００１３】
なお、上述の構成に基づいて以下の作用を呈する。
【００１４】
本発明によれば、定着が完了している部分に関しては記録速度を落とすこと無く印字を続行することで記録装置の最大速度で高速に印字を行い、定着が完了していなくて排紙スミアを起こしそうな部分に限ってその手前でウエイトをかけるので、排紙スミアを防止しつつ印字速度の低下を最小限にすることができる。また、カラー印字の途中で印字を中断することがないため、印字ムラのない画像が記録可能となった。
【発明の効果】
【００１５】
以上説明した様に、本発明によれば、定着が完了している部分に関しては記録速度を落とすこと無く印字を続行することで記録装置の最大速度で高速に印字を行い、定着が完了していなくて排紙スミアを起こしそうな部分に限ってその手前でウエイトをかけるので、排紙スミアを防止し、印字速度の低下を最小限にすることができる。また、カラー印字の途中で印字を中断することがないため、印字ムラのない画像が記録出来る。よって、高速記録が可能かつ高画質なインクジェット記録装置が提供出来る。
【発明を実施するための最良の形態】
【００１６】
まず、本発明を適用可能なインクジェット記録装置の概略について述べる。
【００１７】
図１は本発明のインクジェット記録装置の模式的斜視図である。
【００１８】
図１において、通常インクジェット記録時において被記録媒体である記録媒体Ｐは、搬送ローラ１とこれに従動するピンチローラ２との間に挟まれ、搬送ローラ１の回転により、プラテン３上に案内、支持されながら図中矢印Ａ方向に搬送される。このとき、プラテン３は、インクジェットヘッド４のインク吐出面とこれに対向する記録媒体Ｐの表面との距離を一定乃至所定の距離に維持するように記録媒体Ｓの裏面を支持する。プラテン３上に搬送された記録媒体Ｐはその後、回転する排出ローラ１２、１５とこれに従動する回転体である拍車１３、１６との間に挟まれ、搬送される。画像記録が実施された後、排出ローラ１２、１５の回転によりプラテン３上から排紙トレイ１７上に排出される。
【００１９】
また、搬送方向Ａと交差する方向における記録媒体Ｓの端部がインクジェットヘッド４の方に浮き上がることを規制する為にプラテン３上に記録媒体押さえ１４が設けられている。インクジェットヘッド４は記録媒体Ｐに向かってインクを吐出する姿勢で、不図示のモータ等の駆動手段により２本のガイドレール５、６に沿って往復移動されるキャリッジ７に着脱可能に搭載されている。このキャリッジ移動方向は記録媒体搬送方向（矢印Ａ方向）と交差する方向であり、主走査方向と呼ばれる。これに対し、記録媒体搬送方向は副走査方向と呼ばれている。
【００２０】
インクジェットヘッド４は、特にインクジェット記録方式の中でも、インク吐出のために利用されるエネルギーとして熱エネルギーを発生する手段（例えば発熱抵抗素子）を備え、その熱エネルギーによりインクの状態変化（膜沸騰）を生起させる方式を用いることにより記録の高密度化、高精細化を達成している。なお、このような熱エネルギーによる方式に限らず、振動エネルギーを利用してもよい。
【００２１】
インクジェットヘッド４にはそれぞれ異なる色のインクを吐出するための複数のノズル列が設けられている。本発明の場合、ブラック、シアン、マゼンタ、イエローの４種類のインクを採用しており、ブラックインクには顔料インク、シアン、マゼンタ、イエローインクには染料インクが用いられている。インクジェットヘッド４から吐出される４種類のインクの色に対応して、複数の独立したインクタンク８が、タンク装着ユニット９に着脱交換可能に装着される。タンク装着ユニット９とインクジェットヘッド４とは、それぞれインクの色に対応した複数の液体供給チューブ１０によって接続され、各インクタンク８をタンク装着ユニット９に装着することで、各インクタンク８内に収納された色のインクを、各インク色に対応するインクジェットヘッド４の各ノズル列に独立して供給することが可能となる。
【００２２】
さらに、インクジェットヘッド４の往復移動範囲内で、かつ、記録媒体Ｐ搬送時の通過範囲外の領域である非記録領域には、回復ユニット１１が、インクジェットヘッド４のインク吐出面と対面するように配置されている。回復ユニット１１は、インクジェットヘッド４のインク吐出面をキャッピングするためのキャップ部、インク吐出口面をキャッピングした状態でインクジェットヘッド４から強制的にインクを吸引するための吸引機構、インク吐出面の汚れを払拭するためのクリーニングブレード等を有する。
【実施例１】
【００２３】
このような記録装置に対し、図２のフローチャートを中心に本実施例の詳細を説明する。
【００２４】
図２は本発明のインクジェット記録装置における排紙スミア制御のフローチャートである。図３は本発明の記録装置が記録媒体を排紙している図である。図４は排紙された記録媒体Ｐ１を記録バンドごとにエリア分けした図である。
【００２５】
まずＳ１にて給紙が行われる。このとき図３における記録媒体Ｐ２は印字データがない場合も、その先端部分は排出ローラ１２を若干超えた位置までしか搬送されない。もちろんそれ以前の領域に印字データがある場合は印字位置にて停止する。次にＳ２において図４のＸ−ｎ〜Ｘバンドにおいて設定された残スミアウエイト時間を算出する。図４における各バンドの幅は記録ヘッド４におけるヘッドの印字幅と同じく設定されている。図３において示されるように、記録後排紙された先行記録媒体Ｐ１に後続の記録媒体Ｐ２が接触し始めるポイントを着地点ｘとして設定されている。この着地点ｘの位置は記録媒体の種類や後続の記録媒体Ｐ２上に付与される印字比率によって可変としても良い。この着地点ｘを含むバンドをＸとし、それ以前とそれ以降のバンドをＸ−ｎ、Ｘ＋ｎと設定する。本実施例ではまず、印字バンドごとにブラックデータのドットカウント値を取得し、指定の印字比率以上と判定した部分に対して排紙スミアが起きない定着完了時間として、指定秒数をメモリ上にセットする。それと同時に減算タイマカウンタをスタートさせる。Ｓ３においては給紙が実行された時点でＸ−ｎ〜Ｘバンドにおける定着完了時間が残っていた場合、Ｓ４に進み残時間分ウエイトを行う。もちろん、電源を入れたばかりの時やしばらく印字をおこなっていなかった後の１枚目の残時間は０である。残時間が残っていない場合及びウエイトが終了した後、Ｓ５に進み、印字を中断することなく最終バンドまで印字を行う。次にＳ６においてはＸ＋１〜Ｘ＋ｎバンドにおいて設定された残定着完了時間を算出する。Ｓ７においては印字が終了した時点でＸ＋１〜Ｘ＋ｎバンドにおける定着完了時間が残っていた場合、Ｓ８に進み残時間分ウエイトを行う。残時間が残っていない場合及びウエイトが終了した後、Ｓ９に進み排紙動作を行う。複数枚続けて印字を行う場合は、次の記録媒体が給紙されてくるわけであるが、同様に制御を続ける。ここで、Ｘ＋１〜Ｘ＋ｎバンドのバンドごとの定着完了時間はＸ−ｎ〜Ｘバンドのバンドごとの定着完了時間よりも若干短めに設定することが可能である。これは記録媒体Ｐ１上のＸ−ｎ〜Ｘバンドに印字された画像上を記録媒体Ｐ２の先端が擦りながら進んでいくのに対し、Ｘ＋１〜Ｘ＋ｎバンド上に印字された画像に記録媒体Ｐ２は排紙時、記録媒体そのものの重みだけの軽微な圧力で接触するため、定着が完全に行われていない場合も、排紙スミアがおきることはない。また、Ｘ−ｎ〜Ｘバンドにおけるバンドごとの定着完了時間は時間残数の多いもの優先して、少ないものの上にオーバーライトするような構成としても良い。同じくＸ＋１〜Ｘ＋ｎバンドにおいても同様の構成がとれる。
【００２６】
以上のように、定着が完了している部分に関しては記録速度を落とすこと無く印字を続行することで記録装置の最大速度で高速に印字を行い、定着が完了していなくて排紙スミアを起こしそうな部分に限ってその手前でウエイトをかけるので、排紙スミアを防止し、印字速度の低下を最小限にすることができる。また、カラー印字の途中で印字を中断することがないため、印字ムラのない画像が記録出来る。
【実施例２】
【００２７】
実施例２は、実施例１に対して記録データがカラーデータか否かを判断する手段を設けたものである。例えば、記録媒体を給紙時においてカラーデータを含む場合は実施例１において説明したスミア制御を行い、モノクロデータのみ場合は特開平７−２０５４１６に開示されているような従来のスミア制御を行う構成である。カラーデータでない場合には印字途中にウエイト時間等のディレイが入っても、印字ムラは発生しないため、有効である。
【実施例３】
【００２８】
実施例３は、実施例１に対して更に記録媒体種に応じて定着完了時間の値を変えたものである。更に、その定着完了時間はその値を環境温度や湿度により変更しても良い。更に、記録ヘッドを交換する等により吐出量を変更した場合や、インク種が異なり定着性が大きく異なる場合に、それらの特性に合わせて自動的にＩＤを読みとって制御パラメーターを変更したり、プリンタードライバの設定により制御パラメーターを自動的に変更したり、ユーザーがインプットする等の方法で変更しても有効である。
【００２９】
（その他）
本発明は、特にインクジェット記録方式の中でも熱エネルギーを利用して飛翔的液的を形成し、記録を行うインクジェット方式の記録ヘッドを用いた記録装置において優れた効果をもたらすものである。
【００３０】
その代表的な構成や原理については、例えば、米国特許第４７２３１２９号明細書、同第４７４０７９６号明細書に開示されている基本的な原理を用いて行うものが好ましい。この方式は所謂オンデマンド型、コンティニュアス型のいずれにも適用可能であるが、特に、オンデマンド型の場合には、液体（インク）が保持されているシートや液路に対応して配置されている電気熱変換体に、記録情報に対応していて核沸騰を越える急速な温度上昇を与える少なくとも一つの駆動信号を印加することによって、電気熱変換体に熱エネルギを発生せしめ、記録ヘッドの熱作用面に膜沸騰を生じさせて、結果的にこの駆動信号に一体一で対応した液体（インク）内の気泡を形成出来るので有効である。この気泡の成長、収縮により吐出用開口を介して液体（インク）を吐出させて、少なくとも一つの滴を形成する。この駆動信号をパルス形状とすると、即時適切に気泡の成長収縮が行われるので、特に応答性に優れた液体（インク）の吐出が達成でき、より好ましい。このパルス形状の駆動信号としては、米国特許第４４６３３５９号明細書、同第４３４５２６２号明細書に記載されているようなものが適している。なお、上記熱作用面の温度上昇率に関する発明の米国特許第４３１３１２４号明細書に記載されている条件を採用すると、更に優れた記録を行うことが出来る。
【００３１】
記録ヘッドの構成としては、上述の各明細書に開示されているような吐出口、液路、電気熱変換体の組合わせ構成（直線状液流路又は直角液流路）の他に熱作用部が屈曲する領域に配置されている構成を開示する米国特許第４５５８３３３号明細書、米国特許第４４５９６００号明細書を用いた構成も本発明に含まれるものである。加えて、複数の電気熱変換体に対して、共通するスリットを電気熱変換体の吐出部とする構成を開示する特開昭５９−１２３６７０号公報や熱エネルギの圧力波を吸収する開孔を吐出部に対応させる構成を開示する特開昭５９−１３８４６１号公報に基いた構成としても本発明の効果は有効である。すなわち、記録ヘッドの形態がどのようなものであっても、本発明によれば記録を確実に効率よく行うことができるようになるからである。
【００３２】
さらに、記録装置が記録できる記録媒体の最大幅に対応した長さを有するフルラインタイプの記録ヘッドに対しても本発明は有効に適用できる。そのような記録ヘッドとしては、複数記録ヘッドの組み合せによってその長さを満たす構成や、一体的に形成された１個の記録ヘッドとしての構成のいずれでもよい。
【００３３】
加えて、上例のようなシリアルタイプのものでも、装置本体に固定された記録ヘッド、あるいは装置本体に装着されることで装置本体との電気的な接続や装置本体からのインクの供給が可能になる交換自在のチップタイプの記録ヘッド、あるいは記録ヘッド自体に一体的にインクタンクが設けられたカートリッジタイプの記録ヘッドを用いた場合にも本発明は有効である。
【００３４】
また、本発明の記録装置の構成として、記録ヘッドの吐出回復手段、予備的な補助手段等を付加することは本発明の効果を一層安定できるので、好ましいものである。これらを具体的に挙げれば、記録ヘッドに対してのキャッピング手段、クリーニング手段、加圧或は吸引手段、電気熱変換体或はこれとは別の加熱素子或はこれらの組み合わせを用いて加熱を行う予備加熱手段、記録とは別の吐出を行なう予備吐出手段を挙げることができる。
【００３５】
また、搭載される記録ヘッドの種類ないし個数についても、記録色や濃度を異にする複数のインクに対応して２個以上の個数設けられるものであってもよい。すなわち、例えば記録装置の記録モードとしては黒色等の主流色のみの記録モードだけではなく、記録ヘッドを一体的に構成するか複数個の組み合わせによるかいずれでもよいが、異なる色の複色カラー、または混色によるフルカラーの各記録モードの少なくとも一つを備えた装置にも本発明は極めて有効である。
【００３６】
さらに加えて、本発明インクジェット記録装置の形態としては、コンピュータ等の情報処理機器の画像出力端末として用いられるものの他、リーダ等と組み合わせた複写装置、さらには送受信機能を有するファクシミリ装置の形態を採るもの等であってもよい。
【００３７】
なお、本発明において記録とは、文字や画像等を表現するデータに基づいて紙等の媒体にインクを付着させることのみならず、無意味なデータ、例えばランダムデータやベタデータを付着させることをも意味する。
【図面の簡単な説明】
【００３８】
【図１】本発明のインクジェット記録装置の模式的斜視図。
【図２】本発明のインクジェット記録装置における排紙スミア制御のフローチャート。
【図３】本発明の記録装置が記録媒体を排紙している図。
【図４】排紙された記録媒体Ｐ１を記録バンドごとにエリア分けした図。
【符号の説明】
【００３９】
１  搬送ローラ
２  ピンチローラ
３  プラテン
４  インクジェットヘッド
５  ガイドレール
６  ガイドレール
７  キャリッジ
８  インクタンク
９  タンク装着ユニット
１０  液体供給チューブ
１１  回復ユニット
１２  排出ローラ
１３  拍車
１４  記録シート押さえ
１５  排出ローラ
１６  拍車
１７  排出トレイ
Ｐ  記録媒体
ｘ  着地点
【図１】
2005238608.tif 000003
【図２】
2005238608.tif 000004
【図３】
2005238608.tif 000005
【図４】
2005238608.tif 000006